(57)【要約】【課題】アドレス情報を読み出す際に精度の高い読出を実行可能な光ディスク記録再生装置を提供する。【解決手段】光ディスクのグルーブに形成されたウォブルのウォブル周期の検出を開始する（ステップＳ２）。そして、ＰＬＬ回路においてリセットされてから、ウォブル周期に対応する信号がロックされるまでのＰＬＬロック時間を算出する（ステップＳ５）。ＰＬＬロック時間の最小値に対応するフォーカスバランス値をＡＤＩＰ用のフォーカスバランス値に設定する（ステップＳ８）。そして、アドレス情報であるＡＤＩＰ情報を読み出す際には、ＡＤＩＰ用のフォーカスバランス値を用いてフォーカシングサーボ制御を実行する。【選択図】図２
2008123640.tif 000002
【特許請求の範囲】
【請求項１】
光ディスクに対してレーザ光を照射して情報の記録および再生を行う光ディスク装置であって、
前記光ディスクにレーザ光を照射して、照射したレーザ光の反射光を受光する光ピックアップと、
前記光ディスクに照射するレーザ光のフォーカシングサーボ制御を実行するサーボ制御部と、
前記光ピックアップからの反射光に基づいて前記光ディスクに記録された情報を取得するとともに前記サーボ制御部を制御する制御部とを備え、
前記制御部は、前記光ディスクに予め設けられた物理アドレスのアドレス情報を取得する際、前記光ピックアップからの反射光に基づいて前記サーボ制御部において用いられるフォーカスバランス値を前記光ディスクの記録ピットからの反射光を受光する際のフォーカスバランス値と異なるフォーカスバランス値に設定し、
前記制御部は、前記光ディスクのグルーブに形成されたウォブルの位相変調領域からの反射光に基づいてＡＤＩＰ（ADress In Pre-grove）情報あるいは前記光ディスクのグルーブに形成されたウォブルと、前記光ディスクのランドに形成されたランドプリピット（ＬＰＰ）からの反射光に基づいてアドレス情報を取得し、
前記制御部は、フォーカスバランス値に従って変化する前記光ディスクのグルーブに形成されたウォブルの周期が目標周波数と同期する時間を計測し、前記光ディスクに予め設けられた物理アドレスのアドレス情報を取得する際、計測時間が最小であるフォーカスバランス値に設定し、
前記制御部は、前記光ディスクに予め設けられた物理アドレスのアドレス情報を取得する際と、前記記録ピットからの反射光を受光する際とでフォーカスバランス値を切り換える、光ディスク装置。
【請求項２】
光ディスクに対してレーザ光を照射して情報の記録および再生を行う光ディスク装置であって、
前記光ディスクにレーザ光を照射して、照射したレーザ光の反射光を受光する光ピックアップと、
前記光ディスクに照射するレーザ光のフォーカシングサーボ制御を実行するサーボ制御部と、
前記光ピックアップからの反射光に基づいて前記光ディスクに記録された情報を取得するとともに前記サーボ制御部を制御する制御部とを備え、
前記制御部は、前記光ディスクに予め設けられた物理アドレスのアドレス情報を取得する際、前記光ピックアップからの反射光に基づいて前記サーボ制御部において用いられるフォーカスバランス値を前記光ディスクの記録ピットからの反射光を受光する際のフォーカスバランス値と異なるフォーカスバランス値に設定する、光ディスク装置。
【請求項３】
前記制御部は、前記光ディスクのグルーブに形成されたウォブルの位相変調領域からの反射光に基づいてＡＤＩＰ（ADress In Pre-grove）情報を取得する、請求項２に記載の光ディスク装置。
【請求項４】
前記制御部は、前記光ディスクのグルーブに形成されたウォブルと、前記光ディスクのランドに形成されたランドプリピット（ＬＰＰ）からの反射光に基づいてアドレス情報を取得する、請求項２に記載の光ディスク装置。
【請求項５】
前記制御部は、フォーカスバランス値に従って変化する前記光ディスクのグルーブに形成されたウォブルの周期が目標周波数と同期する時間を計測し、前記光ディスクに予め設けられた物理アドレスのアドレス情報を取得する際、計測時間が最小であるフォーカスバランス値に設定する、請求項２に記載の光ディスク装置。
【請求項６】
前記制御部は、前記光ディスクに予め設けられた物理アドレスのアドレス情報を取得する際と、前記記録ピットからの反射光を受光する際とでフォーカスバランス値を切り換える、請求項２に記載の光ディスク装置。
【発明の詳細な説明】
【技術分野】
【０００１】
本発明は、光ピックアップにより光ディスクの情報を記録および再生する光ディスク装置のサーボ制御に関し、特にフォーカシングサーボ制御に関する。
【背景技術】
【０００２】
従来から、ＣＤやＤＶＤ等の同心円状又は渦巻状に情報記録トラックが形成された光ディスクに対し、光ピックアップと呼ばれる光ヘッドにより、情報の記録及び／又は再生を行なう光ディスク装置がある。光ピックアップは、半導体レーザ等の光ビームを対物レンズにより光ディスク上に集光照射すると共に、光ディスク上に照射した光の反射光を受光してそれに応じた電気信号を出力する構成となっており、光ディスクの半径方向に移動するようになっている。
【０００３】
光ディスク装置は、光ピックアップを光ディスク上の所定の位置へ移動させ、光ディスクを回転させながら、光ピックアップからの光を光ディスクの記録トラックに集光照射することで、光ディスクに対して情報の記録及び／又は再生を行なう。
【０００４】
光ディスクからの情報の再生にあたっては、まず、光ピックアップから照射する光の集光点が光ディスク面上に位置するようにフォーカシングサーボ制御によりフォーカスオン（フォーカス引き込み）させ、さらに、フォーカスオンさせた光が記録トラック上に位置するようにトラッキングサーボ制御によりトラックオン（トラック引き込み）させる。これらフォーカスオン及びトラックオンは、光ピックアップから出力される電気信号に応じて、対物レンズを光ディスク面に垂直な方向及び記録トラックに垂直な方向に移動させることで行なわれる。そして、フォーカスオン及びトラックオンさせた状態で光ピックアップから出力される電気信号に基づいて、光ディスクに形成されているピットが検出され、これにより光ディスクから情報が読取られ、その情報が再生される。光ディスクへの情報の記録は、光ピックアップから光ディスク上に集光照射する光により、光ディスクの記録トラックにピットを形成することにより行なわれる。
【０００５】
光ディスクに対する情報の再生および記録において、上述したフォーカシングサーボ制御およびトラッキングサーボ制御は、レーザ光の反射光を演算してフォーカスエラー信号およびトラックエラー信号を求め、当該エラーを減少させるように調整するものである。当該調整動作により、記録信号品位（ジッタ等）が大きく変動するので、高精度に調整することが要求されている（特許文献１〜３）。
【特許文献１】特開２０００−２２２７４７号公報
【特許文献２】特開２００２−２６９７７３号公報
【特許文献３】特開２００５−２１６４６１号公報
【発明の開示】
【発明が解決しようとする課題】
【０００６】
一方、光ディスクの１つとしてＤＶＤ＋ＲあるいはＤＶＤ＋ＲＷは、物理フォーマットとしてウォブルグルーブ方式を採用している。具体的には、螺旋状の案内溝（グルーブ）が設けられており、データは案内溝に沿って書き込まれる。また、グルーブには、周期的に半径方向に微小量蛇行したウォブルが付けられており、このウォブルに物理アドレスを示すためのＡＤＩＰ情報であるアドレス情報が埋め込まれている。
【０００７】
光ディスクに対する情報の記録をした後において、ウォブルに埋め込まれたＡＤＩＰ情報を読み出す場合、従来においては、通常の記録ピットを読み出す場合と同様にフォーカシング制御部で設定されたフォーカスバランス値をそのまま用いてＡＤＩＰ情報の読出が行なわれてきた。
【０００８】
しかしながら、光ディスクに対する情報の記録後においては、記録されたＲＦ信号の重畳成分の影響でウォブルに埋め込まれたアドレス情報の読出が困難になる可能性が有る。
【０００９】
図５は、光ディスクに記録されたピットの読出により生成されるＲＦ信号のジッタ値（ＲＦジッタ値とも称する）あるいはＡＤＩＰエラーレートとフォーカスバランス値との関係を説明する図である。
【００１０】
図５を参照して、左縦軸としてＲＦジッタ値が示されており、フォーカスバランス値との関係において、最小のＲＦジッタ値を示すフォーカスバランス値Ｆｂが示されている。一方、ＡＤＩＰエラーレートすなわちＡＤＩＰ情報の読出におけるエラーレートが右縦軸として示されており、フォーカスバランス値との関係において、最小のエラーレートを示すフォーカスバランス値Ｆｂ＃が示されている。
【００１１】
ここで、図示されているようにＲＦジッタ値と、ＡＤＩＰエラーレートとがそれぞれ最小となる最適なフォーカスバランス値は互いに異なる値となっている。従来においては、ＡＤＩＰ情報を読み出す場合と通常のピットを読み出す場合とで特性に相違はないとして、同じフォーカスバランス値を用いていたが、上述したように光ディスクに対する情報の記録後においては特性に相違が生じる可能性があることが判明している。
【００１２】
本発明は、上記に挙げられた問題点を解決するためになされたものであって、アドレス情報を読み出す際に精度の高い読出を実行可能な光ディスク装置を提供することを目的とする。
【課題を解決するための手段】
【００１３】
本発明に係る光ディスク装置は、光ディスクに対してレーザ光を照射して情報の記録および再生を行う光ディスク装置であって、光ディスクにレーザ光を照射して、照射したレーザ光の反射光を受光する光ピックアップと、光ディスクに照射するレーザ光のフォーカシングサーボ制御を実行するサーボ制御部と、光ピックアップからの反射光に基づいて前記光ディスクに記録された情報を取得するとともに前記サーボ制御部を制御する制御部とを備える。制御部は、前記光ディスクに予め設けられた物理アドレスのアドレス情報を取得する際、前記光ピックアップからの反射光に基づいて前記サーボ制御部において用いられるフォーカスバランス値を前記光ディスクの記録ピットからの反射光を受光する際のフォーカスバランス値と異なるフォーカスバランス値に設定し、制御部は、前記光ディスクのグルーブに形成されたウォブルの位相変調領域からの反射光に基づいてＡＤＩＰ（ADress In Pre-grove）情報あるいは前記光ディスクのグルーブに形成されたウォブルと、前記光ディスクのランドに形成されたランドプリピット（ＬＰＰ）からの反射光に基づいてアドレス情報を取得する。制御部は、フォーカスバランス値に従って変化する前記光ディスクのグルーブに形成されたウォブルの周期が目標周波数と同期する時間を計測し、前記光ディスクに予め設けられた物理アドレスのアドレス情報を取得する際、計測時間が最小であるフォーカスバランス値に設定する。制御部は、前記光ディスクに予め設けられた物理アドレスのアドレス情報を取得する際と、前記記録ピットからの反射光を受光する際とでフォーカスバランス値を切り換える。
【００１４】
本発明に係る別の光ディスク装置は、光ディスクに対してレーザ光を照射して情報の記録および再生を行う光ディスク装置であって、光ディスクにレーザ光を照射して、照射したレーザ光の反射光を受光する光ピックアップと、光ディスクに照射するレーザ光のフォーカシングサーボ制御を実行するサーボ制御部と、光ピックアップからの反射光に基づいて前記光ディスクに記録された情報を取得するとともに前記サーボ制御部を制御する制御部とを備える。制御部は、前記光ディスクに予め設けられた物理アドレスのアドレス情報を取得する際、前記光ピックアップからの反射光に基づいて前記サーボ制御部において用いられるフォーカスバランス値を前記光ディスクの記録ピットからの反射光を受光する際のフォーカスバランス値と異なるフォーカスバランス値に設定する。
【００１５】
好ましくは、制御部は、前記光ディスクのグルーブに形成されたウォブルの位相変調領域からの反射光に基づいてＡＤＩＰ（ADress In Pre-grove）情報を取得する。
【００１６】
好ましくは、制御部は、前記光ディスクのグルーブに形成されたウォブルと、前記光ディスクのランドに形成されたランドプリピット（ＬＰＰ）からの反射光に基づいてアドレス情報を取得する。
【００１７】
好ましくは、制御部は、フォーカスバランス値に従って変化する前記光ディスクのグルーブに形成されたウォブルの周期が目標周波数と同期する時間を計測し、前記光ディスクに予め設けられた物理アドレスのアドレス情報を取得する際、計測時間が最小であるフォーカスバランス値に設定する。
【００１８】
好ましくは、制御部は、前記光ディスクに予め設けられた物理アドレスのアドレス情報を取得する際と、前記記録ピットからの反射光を受光する際とでフォーカスバランス値を切り換える。
【発明の効果】
【００１９】
本発明に係る光ディスク装置は、光ディスクに予め設けられた物理アドレスのアドレス情報を取得する際、フォーカスバランス値を光ディスクの記録ピットからの反射光を受光する際のフォーカスバランス値と異なるフォーカスバランス値に設定することにより、光ディスクに対する情報の記録後においてアドレス情報を読み出す際に精度の高い読出を実行することができる。
【発明を実施するための最良の形態】
【００２０】
以下、本発明の実施の形態について図面を参照しながら詳細に説明する。なお、図中同一または相当部分には同一符号を付し、その説明は繰返さない。
【００２１】
図１は、本発明の実施の形態に従う光ディスク装置の概略ブロック図である。
図１を参照して、光ディスク装置１は、ＣＤおよびＤＶＤの同心円状又は渦巻状の情報記録トラックが形成された光ディスク７０に対して、音楽や映像等の情報の記録及び／又は再生を行なう。なお、本実施の形態に従う光ディスク装置はＣＤおよびＤＶＤコンパチブルの記録／再生が可能な光ディスク装置であるものとする。ここでは、光ディスクの１つとしてＤＶＤ＋ＲあるいはＤＶＤ＋ＲＷについて説明する。
【００２２】
光ディスク装置１は、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク装置１は、映像・音声信号入出力部１０と、リモコン１１と、リモコン受信部１２と、表示部１３と、不揮発性メモリ１５と、上記各部を制御するための制御部２０とを備えている。
【００２３】
光ディスクは、不図示のディスク挿入部から挿入されてディスクトレイに載置されたことが検出され、その信号が制御部２０へ入力される。なお、挿入された光ディスク７０は、スピンドルモータ３に装着される。スピンドルモータ３は、制御部２０からの指示に従い回転駆動され、装着された光ディスク７０が所定速度で回転するように制御される。
【００２４】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２５】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２６】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２７】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２８】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２９】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。また、信号処理部７は、図示しないＰＬＬ回路を含み、光検知器４６からの光ディスク面に設けられたウォブルからの信号がＰＬＬ回路に入力され、ＰＬＬ回路から制御部２０に対してウォブルの周期に対応した信号が出力される。
【００３０】
制御部１０は、この入力されたウォブル周期に対応した信号に基づいて記録時におけるクロックの生成等を行なうとともにウォブルの位相変調領域からの信号に基づいて光ディスクの物理アドレスのアドレス情報であるＡＤＩＰ情報を取得する。
【００３１】
サーボ制御部９は、制御部２０からの指示により上記フォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。また、サーボ制御部９は、制御部２０からの指示に応答して通常のピット読出の際のサーボ制御とは別のサーボ制御を実行する。
【００３２】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００３３】
リモコン１１は、光ディスク装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク装置１本体のフロントパネルに設けられ、リモコン１１により操作された内容や光ディスク装置１の動作状況等を表示する。
【００３４】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー信号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３５】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３６】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３７】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３８】
一方、上述したように、光ディスクに対する情報の記録後においては、ピットの影響でウォブルに埋め込まれたアドレス情報の読出が困難になる可能性が有る。
【００３９】
本発明の実施の形態においては、光ディスクのウォブルに埋め込まれたアドレス情報であるＡＤＩＰ情報を読み出す場合に、通常のピットの読出とは異なるフォーカスオン状態に設定して、読出を実行する。
【００４０】
以下、本発明の実施の形態に従うＡＤＩＰ用のフォーカスオンに用いるフォーカスバランス値を設定する方式について説明する。本例においては、一例として制御部２０によりフォーカスバランス値を設定する方式について説明する。
【００４１】
図２は、本発明の実施の形態に従うＡＤＩＰ用のフォーカスバランス値を設定するフロー図である。
【００４２】
まず、ＡＤＩＰ情報の読み出しを実行する場合において、ＡＤＩＰ用のフォーカスバランス値を設定するモードに入る（スタート）（ステップＳ０）。
【００４３】
そして、フォーカスバランス値の初期値を設定する（ステップＳ１）。具体的には、たとえば、フォーカスバランス値の初期値としては、図１の不揮発メモリ１５に予め格納されているパラメータを読み出してその値を用いるものとする。他の必要なパラメータ等についても同様に不揮発メモリ１５から読み出すものとする。そして、制御部２０は、サーボ制御部９に対して読み出したフォーカスバランス値を設定指示する。これにより、サーボ制御部９は、指示されたフォーカスバランス値に従ってフォーカスオン状態に設定される。
【００４４】
そして、ウォブル周期の検出を開始する（ステップＳ２）。例えば、任意のトラックから１トラック分読み出しを実行して、ウォブル周期を検出するものとする。具体的には、ウォブルから読み出された信号は信号処理部７のＰＬＬ回路を介して制御部２０に入力される。そして、制御部２０は、ＰＬＬ回路からの出力波形に基づいてウォブル周期の検出を実行する。
【００４５】
次に、制御部２０は、ＰＬＬ回路の出力波形をリセットするすなわち初期状態に設定する（ステップＳ３）。
【００４６】
そして、制御部２０は、ＰＬＬ回路にてリセットされてからＰＬＬ回路に入力されるウォブルから読み出された信号が目標周波数と同期（ロック）したかどうかを判定する（ステップＳ４）。同期したと判定された場合に次のステップＳ５に進む。
【００４７】
そして、ステップＳ５において、制御部２０は、ウォブルから読み出された信号がＰＬＬ回路においてリセットされてからロックされるまでのＰＬＬロック時間を算出する（ステップＳ５）。
【００４８】
そして、制御部２０は、次にフォーカスバランス値のふり幅において、測定が終了したかどうかを判定する（フォーカスバランス値ふり幅終了）（ステップＳ６）。すなわち、予め定められた所定の範囲内におけるフォーカスバランス値のＰＬＬロック時間の算出を実行したかどうかを判定する。
【００４９】
ステップＳ６において、フォーカスバランス値のふり幅において測定が終了していない場合には、ステップＳ７に進み、フォーカスバランス値に所定量を加えて、最初のステップＳ２に戻り、所定量を加えたフォーカスバランス値において上述したＰＬＬロック時間の算出を再び実行する。なお、フォーカスバランス値に所定量を加えるとは、フォーカスエラー信号にバイアスを与えてバイアス比率を調整することを意味し、フォーカスバランス初期値から正側あるいは負側にバイアス比率を調整することとなる。なお、このバイアス比率の調整に関しては、一般的なものであり、不揮発性メモリ１５等に予め格納されたデータ等を用いることが可能である。
【００５０】
そして、ステップＳ６において、フォーカスバランス値のふり幅において、測定が終了した場合には、ステップＳ８に進み、ＰＬＬロック時間の最小値に対応するフォーカスバランス値をＡＤＩＰ用のフォーカスバランス値に設定する。そして、終了する（ステップＳ９）。なお、上記においては、ウォブル周期の検出に関して、１トラック分の読み出しを１回実行して、ウォブルの周期を検出する場合について説明したが、例えば、１トラック分の読み出しを複数回繰り返し実行してＰＬＬロック時間の算出において複数回の平均の時間をＰＬＬロック時間として算出することも可能である。複数回実行した場合には、精度の高いＰＬＬロック時間を算出することが可能である。
【００５１】
図３は、フォーカスバランス値のふり幅に従って変化するＰＬＬロック時間を説明する図である。
【００５２】
図３を参照して、ここでは、フォーカスバランス値のふり幅としてフォーカスバランス値Ｆｂｐ〜Ｆｂｑの間でＰＬＬロック時間を算出した場合が示されている。具体的には、フォーカスバランス値の初期値をＦｂｐとして、フォーカスバランス値を所定量ずつ加算した場合のＰＬＬロック時間が示されている。そして、最小のＰＬＬロック時間に対応するフォーカスバランス値としてフォーカスバランス値Ｆｂ＃が示されている。
【００５３】
図２のフロー図で説明したように、ステップＳ８においてＰＬＬロック時間の最小値に対応するフォーカスバランス値Ｆｂ＃をＡＤＩＰ用のフォーカスバランス値に設定することができる。
【００５４】
当該フロー図により、最適なフォーカスバランス値を検出して、設定することにより精度の高いＡＤＩＰ情報を取得することができる。
【００５５】
なお、一度ＡＤＩＰ用のフォーカスバランス値を設定した場合には、例えば不揮発メモリ１５に格納して、次回以降のＡＤＩＰ情報の読み出しを実行する場合においては、図２のフロー図によりＡＤＩＰ用のフォーカスバランス値を設定するのではなく、不揮発メモリ１５に格納されたフォーカスバランス値をサーボ制御部９に指示して通常のピットの読出とは異なるフォーカスオン状態に設定して、読出を実行することが可能である。
【００５６】
なお、最適なフォーカスバランス値を検出する方式としては、種々の方式があり図５で示したようにＡＤＩＰ情報のエラーレートとフォーカスバランス値との関係から最適なフォーカスバランス値を検出することも可能である。本例においては、ＡＤＩＰ情報のエラーレートではなく代わりにＰＬＬロック時間とフォーカスバランス値との特性を利用して最適なフォーカスバランス値を検出する方式であるが、適切ではないフォーカスバランス値においてはエラーレートが大きくなるのと同様に、適切ではないフォーカスバランス値によるウォブルからの読み出しの場合には読み出された信号にノイズが乗るためにＰＬＬロックに時間がかかることになる。一方、適切なフォーカスバランス値においてはウォブルからの読出の際に読み出された信号にのるノイズは少ないためＰＬＬロックの時間が短くなる。すなわち、ＰＬＬロック時間の関係とＡＤＩＰ情報のエラーレートとの関係は同様であると考えられることを利用して本実施の形態に従うＡＤＩＰ用のフォーカスバランス値を検出し、設定している。
【００５７】
また、ＡＤＩＰ情報が検知される時間に基づいて最適なフォーカスバランス値を検出することも可能である。
【００５８】
図４は、制御部２０におけるフォーカスバランス値の切り換え動作を説明するフロー図である。
【００５９】
図４を参照して、制御部２０は、光ディスクの読み出しを実行する場合（スタート）（ステップＳ１０）に、光ディスクの読み出しの対象となる情報の判定を実行する（リード対象物は？）（ステップＳ１１）。光ディスクの読み出しの対象が記録ピットからの読み出しの場合（ＲＦ）には、通常のピットの読出で用いるフォーカスバランス値すなわちＲＦ信号を検出するためのフォーカスバランス値（ＲＦ用のフォーカスバランス値）に設定（ステップＳ１２）して光ディスクの記録ピットの読み出しを実行する（データリード開始）（ステップＳ１４）。
【００６０】
一方、ステップＳ１１において、ＡＤＩＰ情報を読み出す場合には、上述したＡＤＩＰ用のフォーカスバランス値に設定（ステップＳ１３）して、データリードを開始する（ステップＳ１４）。
【００６１】
すなわち、光ディスクの読み出しの対象となる情報に基づいてフォーカスバランス値の切り換え動作を実行する。当該動作により、読み出しの対象となる情報において最適なフォーカスバランス値を設定することができるため精度の高い記録情報あるいはＡＤＩＰ情報を取得することができる。なお、ＲＦ用のフォーカスバランス値の設定については、種々の方式があり、当業者にとって一般的な技術であるのでここでは省略する。
【００６２】
なお、上記においては、光ディスクの１つとしてＤＶＤ＋ＲあるいはＤＶＤ＋ＲＷについてＡＤＩＰ情報を取得する場合について主に説明してきたが、ＤＶＤ−ＲあるいはＤＶＤ−ＲＷについては、光ディスクのウォブルに埋め込まれたアドレス情報であるＡＤＩＰ情報の代わりに光ディスクのランドに形成されたランドプリピット（ＬＰＰ）の反射光に基づいてアドレス情報が取得される。
【００６３】
ＤＶＤ−ＲあるいはＤＶＤ−ＲＷにおいても、光ディスクに対する情報の記録後、記録されたＲＦ信号の重畳成分の影響によりランドプリピットのアドレス情報の読出が困難になる可能性が有る。
【００６４】
したがって、ＡＤＩＰ情報を読み出す場合と同様にランドプリピット用のフォーカスオンに用いるフォーカスバランス値を設定することにより、最適なフォーカスバランス値により精度の高いアドレス情報を取得することができる。
【００６５】
フォーカスバランス値の設定方式については、上述した場合と同様にＬＰＰのアドレス情報のエラーレートとフォーカスバランス値との特性を用いることも可能であるし、ＰＬＬロック時間とフォーカスバランス値との特性を利用することも可能である。また、ＡＤＬＰＰのアドレス情報が検知される時間に基づいて最適なフォーカスバランス値を検出することも可能である。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の実施の形態に従う光ディスク装置の概略ブロック図である。
【図２】本発明の実施の形態に従うＡＤＩＰ用のフォーカスバランス値を設定するフロー図である。
【図３】フォーカスバランス値のふり幅に従って変化するＰＬＬロック時間を説明する図である。
【図４】制御部２０におけるフォーカスバランス値の切り換え動作を説明するフロー図である。
【図５】光ディスクに記録されたピットの読出により生成されるＲＦ信号のジッタ値あるいはＡＤＩＰエラーレートとフォーカスバランス値との関係を説明する図である。
【符号の説明】
【００６８】
１  光ディスク装置、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  不揮発メモリ、２０  制御部。
【図１】
2008123640.tif 000003
【図２】
2008123640.tif 000004
【図３】
2008123640.tif 000005
【図４】
2008123640.tif 000006
【図５】
2008123640.tif 000007